(57)【要約】【課題】ＳＩＲ推定機能を有する受信装置において、同期検波を行わずに現スロットより以前のスロットを用いて算出した伝搬路推定値の大きさの２乗をフィンガ合成して希望波電力とすることにより演算量を削減する。【解決手段】逆拡散後のパイロット信号を伝搬路高速推定部２０２に入力し、現スロットから前のスロット（・・，ｋ−２，ｋ−１，ｋ）のみを用いて伝搬路推定値を求める。信号電力計算部２は同期検波を行わずに前記伝搬路推定値を直接入力して大きさの２乗を算出した後、各パスにおける伝搬路推定値の大きさの２乗値をフィンガ合成した出力を受信信号電力（希望波電力）としてＭスロット平均部３に入力し、Ｍスロット分の平均受信信号電力Ｐｓを算出する。一方、干渉電力計算部２１１においてフィンガ合成後のパイロットシンボルと平均受信シンボル点から求めた干渉電力をＮスロット移動平均部５に入力し、Ｎスロット分の平均干渉電力Ｐｉを算出する。受信ＳＩＲ推定値算出部４は、平均受信信号電力Ｐｓと平均干渉電力値ＰｉからＳＩＲ推定値を算出する。【選択図】            図１
2005012386.tif 000002
【特許請求の範囲】
【請求項１】
希望波電力と干渉波電力の比であるＳ／Ｉ比を推定するＳＩＲ推定方法において、
現スロット以前のスロット内のパイロット信号から算出した伝搬路推定値の絶対値の二乗を入力してレイク合成した信号を希望波電力として出力するステップと、
現スロット及び該現スロット前後のスロット内のパイロット信号から算出した伝搬路推定値を用いてパイロット信号を同期検波してレイク合成した信号の分散値を干渉波電力として出力するステップと、
前記希望波電力と前記干渉波電力との比を算出してＳＩＲ推定値として出力するステップと、
を有することを特徴とするＳＩＲ推定方法。
【請求項２】
希望波電力と干渉波電力の比であるＳ／Ｉ比を推定するＳＩＲ推定方法において、
現スロット以前のスロット内のパイロット信号から算出した伝搬路推定値の絶対値の二乗を入力してレイク合成した信号を希望波電力として出力するステップを有することを特徴とするＳＩＲ推定方法。
【請求項３】
希望波電力と干渉波電力の比であるＳ／Ｉ比を推定するＳＩＲ推定手段を有する受信装置において、
現スロット以前のスロット内のパイロット信号から算出した第１の伝搬路推定値の絶対値の二乗を入力してレイク合成した信号である希望波電力と、現スロット及び該現スロット前後のスロット内のパイロット信号から算出した伝搬路推定値を用いてパイロット信号を同期検波してレイク合成した信号の分散値である干渉波電力との比を算出し、該算出値を第１のＳＩＲ推定値として出力する第１のＳＩＲ推定手段と、
第１の伝搬路推定値を用いてパイロット信号を同期検波してレイク合成し、該合成信号の絶対値の二乗値である希望波電力と、前記合成信号の分散値である干渉波電力との比を算出し、該算出値を第２のＳＩＲ推定値として出力する第２のＳＩＲ推定手段と、
処理チャネル数、目標ＳＩＲ値、フェージング周波数推定値のいずれか１つに基づいて第１のＳＩＲ推定手段と第２のＳＩＲ推定手段とを切り換える切換え手段と、
を有することを特徴とする受信装置。
【請求項４】
請求項３の装置であって、
ＳＩＲ推定値と、目標ＳＩＲ値との比較により送信電力制御ビットを生成する送信電力制御ビット生成手段を有し、
前記送信電力制御ビット生成手段は、フェージング周波数推定値が閾値より大きい場合に送信電力が所定範囲内に収まるように前記送信電力制御ビットを生成する構成を有することを特徴とする受信装置。
【請求項５】
請求項３の装置であって、
第１のＳＩＲ推定値に基づいて第２のＳＩＲ推定値を補正する補正手段、または、第２のＳＩＲ推定値に基づいて第１のＳＩＲ推定値を補正する補正手段のいずれか一方を有することを特徴とする受信装置。
【発明の詳細な説明】
【０００１】
【発明の属する技術分野】
本発明は、移動通信システムの送信電力制御に関し、特に、希望波電力対干渉波電力比（受信信号電力対干渉電力比）の推定を行う機能を有する受信装置およびその受信装置における希望波電力対干渉波電力比の推定方法に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ）通信方式を用いる移動通信システムにおいて複数の移動局が一つの基地局に対して送信を行う時、各移動局からの受信電力がほぼ均等であれば移動局毎に拡散符号が異なるため、基地局では所望の移動局からの信号を区別して受信することができる。
【０００３】
しかし、各移動局の基地局からの距離は様々であり、各移動局が同じ送信電力により送信を行った場合でも基地局における受信電力は移動局毎に様々な値をとり、ある移動局に着目すると他の移動局からの信号は干渉波となり、他の移動局からの信号電力が大きいと信号を区別できないことがある。
【０００４】
そこで基地局では、ある移動局からの受信電力に対する他の移動局からの受信電力の比を測定し、個々の移動局に対して送信電力を制御するための信号を送信することにより、各移動局の遠近に係わらず基地局での受信電力を一定とする送信電力制御が行われている。
【０００５】
この送信電力制御の最適な制御を行うためには、受信信号電力対干渉電力比（ＳＩＲ：Ｓｉｇｎａｌ−ｔｏ−Ｉｎｔｅｒｆｅｒｅｎｃｅ  ｐｌｕｓ  ｎｏｉｓｅ  ｐｏｗｅｒ  Ｒａｔｉｏ）を正確に推定することが要求される。
【０００６】
上記ＳＩＲは、移動通信システムにおいてビット誤り率などの受信品質に直結する基本的なパラメータであり、受信機が予め信号パターンを把握しているパイロット信号を用いて受信品質などのシステム特性の把握と送信電力制御の二つの目的のために求める。
【０００７】
送信電力制御は、基地局からの距離に関わらず基地局における各移動局からの信号の受信品質、または、各移動局における基地局からの希望信号の受信品質が同じになるように送信電力について制御を行う。
【０００８】
すなわち、クローズドループ送信電力制御では、受信側装置で目標とする受信品質を目標受信品質として予め定めておき、実際に測定される受信品質がこの目標受信品質に近づくように送信側装置における送信電力を制御する。
【０００９】
前記受信品質のパラメータとして一般的にＳＩＲを測定し、目標ＳＩＲ値との比較により送信電力の上げ下げを判断する制御を行う。
【００１０】
移動通信システムにおける伝搬環境では、信号の振幅が時間的に激しく変化するフェージング現象が発生するため、受信信号電力は時間的に大きく変化するが、干渉電力は時間的にランダムである。
【００１１】
従って、送信電力制御を行うためのＳＩＲ（ＳＩＲ推定値）は、短い周期で受信信号電力について平均を行い、長い周期で干渉電力について平均を行うことによってフェージングに追従した推定値を求める。
【００１２】
一方、システム特性を把握するためのＳＩＲ（ＳＩＲ測定値）は、より高精度・高安定性の測定値を得るために、同じ周期で受信信号電力と干渉電力について平均化を行う。
【００１３】
上記ＳＩＲ演算の従来技術として、フィンガ（ＲＡＫＥ）合成後のパイロット信号を用いてＳＩＲ演算を行う技術が非特許文献１に開示されている。
【００１４】
図２４は、非特許文献１に開示された技術を用いたＳＩＲ演算の一実施例を示す図である。
【００１５】
図２４において、フィンガ（ＲＡＫＥ）合成部４０１は各パスの同期検波出力をフィンガ合成し、スロット内平均部４０２はフィンガ合成後のパイロット信号の同相成分および直交成分を、それぞれスロット単位で平均して平均受信シンボル点を求める。
【００１６】
電力算出部４０４ａは前記平均受信シンボル点の電力を計算し、求めた電力を受信信号電力として出力し、さらにｍスロット平均部４０５ａでｍスロット分の受信信号電力を平均して平均受信信号電力を求める。
【００１７】
一方、減算器４０３、電力算出部４０４ｂは、前記フィンガ合成後のパイロット信号と前記平均受信シンボル点を入力してスロット毎に分散値を演算し、この分散値を干渉電力として出力し、ｎスロット平均部４０５ｂでｎスロット分の干渉電力を平均して平均干渉電力を求める。
【００１８】
乗算器４０７は、前記平均受信信号電力に逆数器４０６で求めた平均干渉電力の逆数を乗算してＳＩＲ値を算出する。
【００１９】
図２５は、図２４のＳＩＲ演算の適用を考えた場合の装置の一例を示す図である。
（１）まずＳＩＲ推定値を求めるために、伝搬路（チャネル）高速推定部２０２は逆拡散後のパイロット信号を入力して伝搬路推定値を出力する。
【００２０】
仮判定同期検波部２０３は、前記伝搬路推定値の複素共役値を逆拡散後のパイロット信号に乗算して同期検波を行った後、図示していないフィンガ（ＲＡＫＥ）合成、スロット内平均化処理を行い、平均受信シンボル点を出力する。
【００２１】
ＳＩＲ推定部３１９の信号電力計算部２０４は、前記平均受信シンボル点の電力を計算して求めた電力を受信信号電力として出力し、Ｍスロット平均部２０５はＭスロット分の受信信号電力を平均して平均受信信号電力を算出する。
【００２２】
一方、干渉電力計算部２０６はフィンガ合成（図示せず）後のパイロット信号と前記平均受信シンボル点を入力して干渉電力を算出し、Ｎスロット移動平均部２０７はＮスロット分の干渉電力を移動平均して平均干渉電力を求める。
【００２３】
受信ＳＩＲ推定値算出部２０８は、前記平均干渉電力の逆数を前記平均受信信号電力に乗算してＳＩＲ推定値を算出して、ＴＰＣビット作成部へ出力する。
（２）次にＳＩＲ測定値を求めるために、伝搬路推定部２０９で逆拡散後のパイロット信号から伝搬路推定値を求め、本判定同期検波部２１０において前記伝搬路推定値の複素共役値を逆拡散後のパイロット信号に乗算して同期検波を行った後、図示していないフィンガ合成、スロット内平均化処理を行い、平均受信シンボル点を求める。
【００２４】
ＳＩＲ測定部３２０の信号電力計算部２１３は、前記平均受信シンボル点の電力を計算して求めた電力を受信信号電力として出力し、Ｌスロット平均部２１４でＬスロット分の受信信号電力を平均して平均受信信号電力を算出する。
【００２５】
干渉電力計算部２１１は、図示していないフィンガ合成後のパイロット信号と前記平均受信シンボル点を入力して干渉電力を計算し、Ｌスロット平均部２１２はＬスロット分の干渉電力を平均して平均干渉電力を求める。
【００２６】
受信ＳＩＲ測定値算出部２１５は、前記平均干渉電力の逆数を前記平均受信信号電力に乗算してＳＩＲ推定値を算出して上位レイヤーへ報告する。
【００２７】
なお、上記平均化に使用するスロットは、各値の精度をより良くするために行い、例えばＭ＝２、Ｌ＝３、Ｎ＝１００とすれば良い。
【００２８】
図２６は、伝搬路（チャネル）推定部および同期検波部の一構成例である。
【００２９】
ＳＩＲ測定値を求めるための伝搬路推定部２０９は、現スロット（スロットｋ）の前後のスロット（・・，ｋ−１，ｋ，ｋ＋１，・・）のパイロット信号を使用して平均化を行うのに対して、ＳＩＲ推定値を算出するための伝搬路高速推定部２０２は、現スロットから前のスロット（・・，ｋ−２，ｋ−１，ｋ）のみを使用して平均化を行うので、伝搬路推定部２０９と比較して遅延が小さく高速推定が可能である。
【００３０】
なお、本判定同期検波部２１０と仮判定同期検波部２０３は、ＳＩＲ推定とＳＩＲ測定を区別するため、便宜上異なる名称を記載したもので構成は同一であり、いずれも同図に示した構成である。
【００３１】
図２６において、伝搬路推定部２０９は逆拡散後のパイロット信号に基づいて伝搬路推定値を求める伝搬路推定部であって、逆拡散後のパイロット信号のスロット内同相加算（平均化）を行うスロット内同相加算部２０９ａ、スロット内同相加算結果を各１スロット分遅延させる遅延素子（Ｄ）２０９ｂ、伝搬条件に応じた重み係数（補正量）Ｗｉを乗算する乗算器２０９ｃ、前記補正後の各遅延出力を加算する加算器２０９ｄから構成されている。
【００３２】
また、同期検波部２１０ａは、逆拡散後のパイロット信号（伝搬路推定処理に合わせた遅延信号）に前記伝播路推定値の複素共役を乗算する乗算器２１０ｂで構成されており、伝播路推定値に基づいてパイロット信号の同期検波を行う。
【００３３】
【非特許文献１】
清尾俊輔、外３名、「ＤＳ−ＣＤＭＡ送信電力制御におけるパイロットシンボルを用いた受信ＳＩＲ測定法」、信学技報、社団法人電子情報通信学会、ＲＣＳ９６−７４（１９９６−０８）、ｐ．５７−６２
【００３４】
【発明が解決しようとする課題】
しかし、従来技術のＳＩＲ推定方法では、送信電力制御のためのＳＩＲ推定部とシステム特性把握のためのＳＩＲ測定部のそれぞれにおいて、独自に平均受信信号電力と平均干渉電力を求めた上でその比を取るため、演算量が大きくなるという問題がある。
【００３５】
特に、同期検波部においては逆拡散後のパイロット信号に対して伝搬路推定値の複素共役値を乗算するが、この処理をスロット内のパイロットシンボル数分、さらに各フィンガに対して行わなければならず、積和演算を多用する。
【００３６】
このため、ＤＳＰ等を用いたソフトウェア処理で実現する場合には演算量が増加し、またハードウェアで実現する場合には回路規模が増加してしまい、これに伴って装置全体の規模も大きくなり、小型で大容量な装置を実現しにくいという問題がある。
【００３７】
本発明はこのような問題点に鑑み創案されたもので、演算量を削減しハード規模を削減するＳＩＲ推定機能を有する受信装置およびその受信装置におけるＳＩＲ推定方法を提供することを目的とする。
【００３８】
【課題を解決するための手段】
本発明は、送信電力制御に必要なＳＩＲ推定部において、同期検波を行わずに受信信号電力として伝搬路高速推定部で求めた伝搬路推定値の大きさの２乗を求め、また、平均干渉電力をＳＩＲ測定部で求めることにより演算量を削減する。
【００３９】
また、ＳＩＲ推定部において、伝搬環境の変動に応じて演算量の小さい第１のＳＩＲ推定手段と精度のより高い第２のＳＩＲ推定手段を切換えることによりシステムの最適化を図る。
【００４０】
具体的には、希望波電力と干渉波電力の比であるＳ／Ｉ比を推定するＳＩＲ推定方法において、現スロット以前のスロット内のパイロット信号から算出した伝搬路推定値の絶対値の二乗を入力してレイク合成した信号を希望波電力として出力するステップと、現スロット及び該現スロット前後のスロット内のパイロット信号から算出した伝搬路推定値を用いてパイロット信号を同期検波してレイク合成した信号の分散値を干渉波電力として出力するステップと、前記希望波電力と前記干渉波電力との比を算出してＳＩＲ推定値として出力するステップとを設ける構成とする。
【００４１】
また、希望波電力と干渉波電力の比であるＳ／Ｉ比を推定するＳＩＲ推定手段を有するＣＤＭＡ受信装置において、現スロット以前のスロット内のパイロット信号から算出した第１の伝搬路推定値の絶対値の二乗を入力してレイク合成した信号である希望波電力と、現スロット及び該現スロット前後のスロット内のパイロット信号から算出した伝搬路推定値を用いてパイロット信号を同期検波してレイク合成した信号の分散値である干渉波電力との比を算出し、該算出値を第１のＳＩＲ推定値として出力する第１のＳＩＲ推定手段と、第１の伝搬路推定値を用いてパイロット信号を同期検波してレイク合成し、該合成信号の絶対値の二乗値である希望波電力と、前記合成信号の分散値である干渉波電力との比を算出し、該算出値を第２のＳＩＲ推定値として出力する第２のＳＩＲ推定手段と、処理チャネル数、目標ＳＩＲ値、フェージング周波数推定値のいずれか１つに基づいて第１のＳＩＲ推定手段と第２のＳＩＲ推定手段とを切り換える切換え手段とを設けるようにしてもよい。
【００４２】
また、ＳＩＲ推定値と、目標ＳＩＲ値との比較により送信電力制御ビットを生成する送信電力制御ビット生成手段を有し、前記送信電力制御ビット生成手段は、フェージング周波数推定値が閾値より大きい場合に送信電力が所定範囲内に収まるように前記送信電力制御ビットを生成する構成としてもよい。
【００４３】
また、第１のＳＩＲ推定値に基づいて第２のＳＩＲ推定値を補正する補正手段、または、第２のＳＩＲ推定値に基づいて第１のＳＩＲ推定値を補正する補正手段のいずれか一方を設けるようにしてもよい。
【００４４】
【発明の実施の形態】
図２３は、ＣＤＭＡ通信方式の受信装置の概略構成例を示す図である。
【００４５】
アンテナ３０１により受信した信号をバンドパスフィルタ（ＢＰＦ）３０２に入力し、所定帯域外の成分を除去した信号を得る。
【００４６】
周波数変換部３０３ａ、３０３ｂは、前記所定帯域外除去信号に局部発振器３０４で発生したキャリア及び該キャリアの位相をπ／２移相器３０５でπ／２シフトしたキャリアを乗算して、受信ベースバンド信号の同相成分および直交成分を出力する。
【００４７】
受信ベースバンド信号は、ローパスフィルタ（ＬＰＦ）３０６ａ、３０６ｂで不要な高周波成分を除去し、ＡＧＣ（Ａｕｔｏ  Ｇａｉｎ  Ｃｏｎｔｒｏｌ：自動利得制御）部３０７ａ、３０７ｂである一定レベルに振幅調整し、Ａ／Ｄ変換器３０８ａ、３０８ｂでディジタル信号に変換して，サーチャ部３０９及びフィンガ部３１０ａ、３１０ｂに入力する。
【００４８】
サーチャ部３０９は、受信ベースバンド信号の中の既知のパイロット成分と拡散系列との相関値を求めることによりマルチパスを検出し、各パスに対応した逆拡散タイミングを決定してフィンガ部３１０ａ、３１０ｂに入力する。
【００４９】
各フィンガ部３１０ａ、３１０ｂにおけるパイロット部逆拡散部３１１は、サーチャ部３０９で検出したタイミングに従って逆拡散を行いパイロット信号（パイロットシンボル）を出力する。
【００５０】
また、データ部逆拡散部３１２は、サーチャ部３０９で検出したタイミングに従って逆拡散処理を行い、データ信号（データシンボル）を出力する。
【００５１】
スロット間遅延検波部３１３は、入力されたパイロットシンボル系列に基づいてスロット間の位相差を算出するスロット間遅延検波を行う。
【００５２】
伝播路（チャネル）推定部３１４は、逆拡散されたパイロット信号の同相成分、直交成分をそれぞれスロット内加算（平均化）すると共に、スロット間でフェージング周波数推定値ｆＤに応じた重み付け、及び周波数偏差推定値Δｆに応じた位相補償を行った各出力を加算して伝搬路推定値を出力する。
【００５３】
パイロット部同期検波部３１５は、逆拡散されたパイロット信号と前記伝搬路推定値の複素共役とを乗算することによりパイロット信号の同期検波を行う。
【００５４】
データ部同期検波部３１６も同様に、逆拡散されたデータ信号と伝搬路推定値の複素共役とを乗算してデータ信号の同期検波（復調）を行う。
【００５５】
フィンガ（ＲＡＫＥ）合成部３１７は、各フィンガ部３１０ａ、３１０ｂから出力する各信号をそれぞれフィンガ合成する。
【００５６】
前記フィンガ合成された信号のうち、パイロット部遅延検波結果はフェージング周波数推定部３１８及び周波数偏差推定部３２２に入力され、パイロット部同期検波結果（受信電力推定値）はフェージング周波数推定部３１８、ＳＩＲ推定部３１９及びＳＩＲ測定部３２０に入力され、データ同期検波結果（復調データ）は誤り訂正部３２１に入力される。
【００５７】
フェージング周波数推定部３１８は、前記スロット間遅延検波部３１３で算出した位相差からフェージング周波数を推定して推定値ｆＤを出力し、周波数偏差推定部３２２は、送受信機（移動局と基地局）間のキャリア周波数のずれを推定して推定値Δｆを出力する。
【００５８】
誤り訂正部３２１は、伝送誤りの訂正を行って情報信号を出力する。
【００５９】
ＴＰＣ（Ｔｒａｎｓｍｉｔ  Ｐｏｗｅｒ  ｃｏｎｔｒｏｌ：送信電力制御）ビット作成部３２３は、ＳＩＲ推定値と基準値を比較してＳＩＲが基準値を下回らないようにＴＰＣビットを作成して送信機へ転送する。
【００６０】
ＳＩＲ推定部３１９、ＳＩＲ測定部３２０については、ＳＩＲ推定手段１０１およびＳＩＲ測定手段１０４として後で説明する。
【００６１】
本発明では、以下に詳述する技術を図２３に示すような受信機に適用する。
【００６２】
以下、本発明の実施の形態について、図面を参照して詳細に説明する。
【００６３】
（第１実施例）図１は本発明のＳＩＲ推定方法を適用したＣＤＭＡ受信装置の一実施例である。
【００６４】
なお、図２５と同一部分には同一符号を付して一部説明を省略する。
【００６５】
伝搬路高速推定部２０２は、逆拡散後のパイロット信号を入力し、現スロットから前のスロット（・・，ｋ−２，ｋ−１，ｋ）のみを使用して伝搬路推定値を求める。
【００６６】
第１のＳＩＲ推定手段１０２は、信号電力計算部２、Ｍスロット平均部３、受信ＳＩＲ推定値算出部４を備えている。
【００６７】
信号電力計算部２は、同期検波を行わずに前記伝搬路推定値を直接入力して伝搬路推定値の大きさの２乗を算出した後、各パスにおける伝搬路推定値の大きさの２乗値をフィンガ合成し、該フィンガ合成出力を受信信号電力として出力する。
【００６８】
Ｍスロット平均部３は前記受信信号電力を入力し、Ｍスロット分の受信信号電力を平均して平均受信信号電力Ｐｓを算出する。
【００６９】
受信ＳＩＲ推定値算出部４は、平均受信信号電力Ｐｓと後述するＳＩＲ測定手段１０４からの平均干渉電力値Ｐｉを入力してＳＩＲ推定値を算出し、ＴＰＣビット作成部へ出力する。
【００７０】
伝搬路推定部２０９は逆拡散後のパイロット信号を入力し、現スロット（スロットｋ）の前後のスロット（・・，ｋ−１，ｋ，ｋ＋１，・・）のパイロット信号を使用して伝搬路推定値を求め、本判定同期検波部２１０において同期検波を行った後、図示していないフィンガ合成、スロット内平均化処理を行い、平均受信シンボル点を求める。
【００７１】
干渉電力計算部２１１はフィンガ合成後のパイロット信号と平均受信シンボル点を入力して干渉電力を計算し、Ｎスロット移動平均部５は、干渉電力を入力しＮスロット分の干渉電力を移動平均して平均干渉電力Ｐｉを算出する。
【００７２】
受信ＳＩＲ推定値算出部４は、平均受信信号電力Ｐｓと平均干渉電力ＰｉよりＳＩＲ推定値を算出しＴＰＣビット作成部へ出力する。
【００７３】
図２は、第１のＳＩＲ推定手段１０２における信号電力計算部２、Ｍスロット平均部３、受信ＳＩＲ推定値算出部４の構成例である。
【００７４】
図２において、信号電力計算部２の２ａは伝搬路推定値の大きさの２乗（Ｉ２＋Ｑ２）を計算する２乗算出部、２ｂはフィンガ合成を行う際の各フィンガ（パス）に対する重み係数の組ｗを出力する重み係数テーブル、２ｃは各フィンガで算出した伝搬路推定値の大きさの２乗に各重み係数を乗算する乗算器、２ｄはフィンガ合成部である。
【００７５】
Ｍスロット平均部３の３ａはフィンガ合成出力を各１スロット分遅延させる遅延素子Ｄ、３ｂは各スロットに対する重み係数の組ｗを出力する重み係数テーブル、３ｃは各遅延出力に重み係数を乗算する乗算器、３ｄは重み付けされた各遅延出力を加算する加算器であり、受信ＳＩＲ推定値算出部４の４ａはＳＩＲ測定手段１０４で求めた平均干渉電力Ｐｉの逆数を求める逆数器、４ｂは平均受信信号電力Ｐｓに該逆数を乗算してＳＩＲ推定値を算出する乗算器である。
【００７６】
次に本構成例の動作について説明する。
【００７７】
２乗算出部２ａは同期検波を行わずに、伝搬路高速推定部２０２で求めた伝搬路推定値を直接入力して各パスの大きさの２乗を計算し、乗算器２ｃはパス毎に求めた２乗値に重み係数を乗算して補正を行った後フィンガ合成し、フィンガ合成出力を受信信号電力とする。
【００７８】
以下に、伝搬路推定値の２乗後にフィンガ合成する理由を説明する。
【００７９】
逆拡散後のパイロットシンボルｉの位置ベクトルをｒｉ、位相を揃えた位置ベクトルをｒｉ’とし、図３に示すようなｉ＝１，２，３，４，５を例にすると、伝搬路推定値ｒｅはスロット内で各シンボルについて同相加算して平均した値であるから、次の式（１）で表現される。
【００８０】
ｒｅ＝（ｒ１’＋ｒ２’＋ｒ３’＋ｒ４’＋ｒ５’）／５・・・・・（１）
ここで、各フィンガにおける伝搬路推定値ｒｅは、図４、図５に示すように正の値を取ることもあれば負の値を取ることもあるため符号が不確定であり、値をそのまま用いてフィンガ合成を行うことはできない。
【００８１】
このため、各フィンガの伝搬路推定値について、先に２乗してからフィンガ合成を行う必要がある。
【００８２】
また、図２のＭスロット平均部３は、前記受信信号電力を遅延素子（Ｄ）３ａに入力し、乗算器３ｃは各遅延出力に重み係数を乗算して補正を行い、加算器３ｄは補正後の各遅延出力を加算することにより平均して平均受信信号電力Ｐｓを算出する。
【００８３】
受信ＳＩＲ推定値算出部４は、平均受信信号電力Ｐｓと平均干渉電力Ｐｉの逆数値とを乗算器４ｂで乗算してＳＩＲ推定値を算出し、ＴＰＣビット作成部へ出力する。
【００８４】
以上により、第１のＳＩＲ推定手段において、同期検波を行わずに伝搬路推定値を直接２乗してフィンガ合成することにより求めた受信信号電力と、ＳＩＲ測定手段で求めた干渉電力を用いてＳＩＲ推定値を算出することにより、ＳＩＲ測定手段で算出するＳＩＲ測定値とのずれは、第２のＳＩＲ推定手段と比較して大きくなるが、演算量を削減することができる。
【００８５】
（第２実施例）図６は本発明のＳＩＲ推定方法を適用したＣＤＭＡ受信装置の他の実施例である。
【００８６】
第２実施例において第１実施例と異なる点は、ＳＩＲ推定方式制御部１を設けた点、第１のＳＩＲ推定手段１０２と第２のＳＩＲ推定手段１０３を切り換える点、逆拡散後のパイロット信号を入力する点、である。
【００８７】
第１実施例では、第１のＳＩＲ推定手段１０２によりＳＩＲ推定値を算出した。
【００８８】
第２実施例では、ＳＩＲ推定方式制御部１により、条件に応じて処理量の小さい第１のＳＩＲ推定手段１０２と高精度の第２のＳＩＲ推定手段１０３を切り換える。
【００８９】
ＳＩＲ推定方式制御部１により第１のＳＩＲ推定手段を選択した場合、ＳＩＲ測定手段１０４のＮスロット移動平均部５で平均干渉電力Ｐｉを求めて第１のＳＩＲ推定手段に入力し、各処理を行ってＳＩＲ推定値を出力する。
【００９０】
また、第２のＳＩＲ推定手段を選択した場合は、逆拡散後のパイロット信号を入力して仮判定同期検波を行った後、各処理を行ってＳＩＲ推定値を出力する。
【００９１】
図７は、第２実施例におけるＳＩＲ推定手段１０１の説明図であり、ＳＩＲ推定手段１０１は、第１のＳＩＲ推定手段１０２、第２のＳＩＲ推定手段１０３から構成されている。
【００９２】
第１のＳＩＲ推定手段１０２は、第１実施例と同一の構成であるため説明を省略する。
【００９３】
また、第２のＳＩＲ推定手段１０３は、仮判定同期検波部２０３、信号電力計算部２０４、Ｍスロット平均部２０５、干渉電力計算部２０６、Ｎスロット移動平均部２０７、受信ＳＩＲ推定値算出部２０８を備えており、図２５の従来技術におけるＳＩＲ推定部３１９及び仮判定同期検波部２０３の構成（フィンガ合成、スロット内平均化処理は図示せず）と同一であるため、同一部分に同一符号を付して説明を省略する。
【００９４】
上記２通りのＳＩＲ推定手段を伝搬条件、例えばフェージング周波数に応じてＳＩＲ推定方式制御部１により何れか一方を選択して切り換える。
【００９５】
第２実施例によれば、伝搬条件に応じて処理量の小さい第１のＳＩＲ推定手段と精度のより高い第２のＳＩＲ推定手段を切換えるようにしたので、より好適なシステムの構築を行うことができる。
【００９６】
（第３実施例）図８は本発明のＳＩＲ推定方法を適用したＣＤＭＡ受信装置の他の実施例であり、図６の第２実施例と同一部分には同一符号を付している。
【００９７】
第２実施例と異なる点は、処理チャネル数管理部６からの入力を設けた点である。
【００９８】
第３実施例では、単位機能ブロック（例えばＣＤＭＡ通信を行う通信カード１枚）において処理を必要とするチャネル数に応じて、第１のＳＩＲ推定手段と第２のＳＩＲ推定手段のいずれかを選択して切り換える。
【００９９】
前記処理チャネル数は、移動通信システムを構成するＲＮＣ（Ｒａｄｉｏ  Ｎｅｔｗｏｒｋ  Ｃｏｎｔｒｏｌｌｅｒ：無線ネットワーク制御装置）またはＢＴＳ（Ｂａｓｅ  Ｔｒａｎｓｃｅｉｖｅｒ  Ｓｔａｔｉｏｎ：無線基地局装置）に位置する処理チャネル数管理部６からシステム情報として入力される。
【０１００】
図９は、第３実施例の処理フローを示すフローチャートである。
【０１０１】
処理チャネル数が予め定めた規定値Ｎ０より大きいか否かにより、第１のＳＩＲ推定手段もしくは第２のＳＩＲ推定手段のいずれを実行するかを判定する（２０ａ）。
【０１０２】
処理チャネル数が規定値Ｎ０より大きい場合は、処理量の小さい第１のＳＩＲ推定手段を実行し（２０ｂ）、ＴＰＣビット作成を行う（２０ｄ）。
【０１０３】
処理チャネル数が規定値Ｎ０より大きくない（同じまたは小さい）場合は、第２のＳＩＲ推定手段を実行して（２０ｃ）、ＴＰＣビット作成を行う（２０ｄ）。
【０１０４】
なお、処理チャネル数の規定値Ｎ０は、単位機能ブロックの処理能力（処理量）と１チャネル当りの第２のＳＩＲ推定手段の処理量の比によって決定される。
【０１０５】
第３実施例によれば、処理チャネル数に応じて処理量の小さい第１のＳＩＲ推定手段と精度のより高い第２のＳＩＲ推定手段を切換えるようにしたので、より好適なシステムの構築を行うことができる。
【０１０６】
（第４実施例）図１０は本発明のＳＩＲ推定方法を適用したＣＤＭＡ受信装置の他の実施例であり、図６の第２実施例と同一部分には同一符号を付している。
【０１０７】
第２実施例と異なる点は、目標ＳＩＲ値をＳＩＲ推定方式制御部１に入力する点である。
【０１０８】
第４実施例では、誤り訂正出力データを基に算出した目標ＳＩＲ値の大きさに応じて、ＳＩＲ推定手段の選択を行う。
【０１０９】
図１１は、第４実施例の処理フローを示すフローチャートである。
【０１１０】
目標ＳＩＲ値が予め定めた規定値ｒ０より小さいか否かにより、実行するＳＩＲ推定手段を判定する（２１ａ）。
【０１１１】
目標ＳＩＲ値が規定値ｒ０より小さいチャネルは、性能が良いので処理量の小さい第１のＳＩＲ推定手段を実行し（２１ｂ）、それ以外は第２のＳＩＲ推定手段を実行する（２１ｃ）。
【０１１２】
目標ＳＩＲ値の規定値ｒ０は、例えばビット誤り率ＢＥＲ＝１０−３を保つために必要なＳＩＲ値とすることができる。
【０１１３】
第４実施例によれば、目標ＳＩＲ値に応じて処理量の小さい第１のＳＩＲ推定手段と精度のより高い第２のＳＩＲ推定手段を切換えるようにしたので、より好適なシステムの構築を行うことができる。
【０１１４】
（第５実施例）図１２は本発明のＳＩＲ推定方法を適用したＣＤＭＡ受信装置の他の実施例であり、図６の第２実施例と同一部分には同一符号を付している。
【０１１５】
第２実施例と異なる点は、フェージング周波数推定部３１８からの入力を設けた点である。
【０１１６】
第５実施例では、フェージング周波数推定値ｆＤの大きさに応じて、ＳＩＲ推定手段の選択を行う。
【０１１７】
図１３は、第５実施例の処理フローを示すフローチャートである。
【０１１８】
フェージング周波数推定値が予め定めた規定値ｆ０より小さいか否かにより、実行するＳＩＲ推定手段を判定する（２２ａ）。
【０１１９】
フェージング周波数推定値が規定値ｆ０より小さい場合、第１のＳＩＲ推定手段は第２のＳＩＲ推定手段とほぼ同等な精度を持つ。
【０１２０】
このため、処理量の小さい第１のＳＩＲ推定手段を適用し（２２ｂ）、そうでない場合は第２のＳＩＲ推定手段を適用する（２２ｃ）。
【０１２１】
フェージング周波数推定値の規定値ｆ０は、単位機能ブロックの処理能力と処理チャネル数によって決定される。
【０１２２】
第５実施例によれば、フェージング周波数推定値に応じて処理量の小さい第１のＳＩＲ推定手段と精度のより高い第２のＳＩＲ推定手段を切換えるようにしたので、より好適なシステムの構築を行うことができる。
【０１２３】
（第６実施例）図１４は本発明のＳＩＲ推定方法を適用したＣＤＭＡ受信装置の他の実施例であり、図７と同一部分には同一符号を付している。
【０１２４】
第１のＳＩＲ推定手段と第２のＳＩＲ推定手段は、演算量削減のために計算方法が異なるため、両者の推定結果にわずかのずれが生じる。
【０１２５】
このずれを補正することで、送信電力制御の精度を高めることができる。
【０１２６】
第６実施例では、第１のＳＩＲ推定手段と第２のＳＩＲ推定手段の間に生じる推定結果のずれについて、Ｍスロット平均を行う際に用いる重み係数テーブル値を予め補正することによりずれを補正して、ＳＩＲ推定値を補正する。
【０１２７】
すなわち、図１４において、前記推定結果のずれを補正した係数を設定した切換え補正済み重み係数テーブル７を用いる。
【０１２８】
以下に、切換え補正済み重み係数テーブル７について説明する。
【０１２９】
前記重み係数テーブルの設定値は、Ｍスロットの電力を加算する際の各スロットに対する重み係数αｋを指しており、ｋスロット目の電力をｐｋとすると  、Ｍスロット平均電力Ｐは次の式（２）で表現される。
【０１３０】
Ｐ＝■（αｋ・ｐｋ）・・・・・（２）
例えば、スロット数Ｍ＝３とし、３スロット目を現スロットとした場合の重み係数αｋテーブルの一例を図１５に示す。
【０１３１】
今、第１のＳＩＲ推定手段および第２のＳＩＲ推定手段で求めたＳＩＲ推定値をそれぞれｘ，ｙとし、ｙ＝ｆ（ｘ）の関係が成り立つとすると、第１のＳＩＲ推定手段を基準とした場合の第２のＳＩＲ推定手段における切換え補正済み重み係数テーブル９の設定値は、図１６に示すように計算できる。
【０１３２】
以上のように、第１のＳＩＲ推定手段と第２のＳＩＲ推定手段の推定結果が一致するようにＭスロット平均を行う際に用いる重み係数テーブル値を補正することで、送信電力制御の精度をさらに高めることができる。
【０１３３】
なお、第６実施例では、ＳＩＲ推定部において第１のＳＩＲ推定手段１０２を基準とした場合について述べたが、第２のＳＩＲ推定手段１０３を基準としても同様に説明することができる。
【０１３４】
（第７実施例）図１７は本発明のＳＩＲ推定方法を適用したＣＤＭＡ受信装置の他の実施例であり、図７と同一部分には同一符号を付している。
【０１３５】
伝搬環境が変化すると、ＳＩＲ推定値とＳＩＲ測定値は計算方法が異なるためにずれＶが生じる。
【０１３６】
このため、伝搬条件の１つであるパスモデルが変化すると、ずれＶも変化する。
【０１３７】
パスモデルが変化しても、ずれＶが０または一定となるように補正すれば、送信電力制御の精度を高めることができる。
【０１３８】
第７実施例では、フィンガ合成を行う際に用いる重み係数テーブル値を予め補正することにより、ＳＩＲ推定値を補正する。
【０１３９】
すなわち、図１７に示すように、フィンガ合成を行う際にずれＶを補正した係数を設定したパスモデル補正済み重み係数テーブル８を用いる。
【０１４０】
以下に、パスモデル補正済み重み係数テーブル８について説明する。
【０１４１】
前記重み係数テーブルの設定値は、フィンガ合成する際の各フィンガに対  する重み係数βｉを指しており、第１のＳＩＲ推定手段の場合、各フィンガの  信号電力をｕｉ、フィンガ合成後の電力をＵとすると、フィンガ合成後の電力  Ｕは次の式（３）で表現される。
【０１４２】
Ｕ＝■（βｉ・ｕｉ）・・・・・（３）
例えば、フィンガ数を４とした場合の重み係数βｉのテーブルの一例を図１８に示す。
【０１４３】
ここで、最大比合成を用いてフィンガ合成を行った場合、例えば次の式（４）で重み係数を求めることができる。
【０１４４】
βｉ＝ｇ（ｉ）＝ｕｉ／Ｕ・・・・・（４）
図１８の重み係数テーブルに対応したパスモデルを図１９に示すパスモデル１とすると、図２０に示すようなパスモデル２に変化した場合、ＳＩＲ推定値と実際のＳＩＲ値（ＳＩＲ測定値）とのずれＶも変化する。
【０１４５】
このため、重み係数βｉに対してパスモデルに合わせた補正を行う。
【０１４６】
今、ＳＩＲ推定値をｘ、実際のＳＩＲ値をｙ、パスモデルｊに対してｙｉ＝ｆｉ（ｘ）の関係が成り立つとすると、パスモデル補正済み重み係数テーブル８の設定値は、図２１に示すように表される。
【０１４７】
以上のように、ＳＩＲ推定値とＳＩＲ測定値のずれを補正するようにフィンガ合成を行う際に用いる重み係数テーブル値を補正することで、送信電力制御の精度を高めることができる。
【０１４８】
（第８実施例）図２２は本発明のＳＩＲ推定方法を適用したＣＤＭＡ受信装置の他の実施例であり、図７と同一部分には同一符号を付している。
【０１４９】
フェージング周波数が変化すると、ＳＩＲ推定値とＳＩＲ測定値のずれＶも変化する。
【０１５０】
フェージング周波数が変化しても、ずれＶが０または一定となるように補正すれば送信電力制御の精度を高めることができる。
【０１５１】
第８実施例では、フィンガ合成を行う際に用いる重み係数テーブル値を予め補正することによりずれＶを補正して、ＳＩＲ推定値を補正する。
【０１５２】
すなわち、図２２に示すように、ずれＶを補正した係数を設定したフェージング補正済み重み係数テーブル９を用いる。
【０１５３】
パスモデルの変化と同様に、フェージング周波数の大きさによってもＳＩＲ推定値ｘと実際のＳＩＲ値ｙの間のずれＶが生じる。
【０１５４】
フェージング周波数の大きさを３段階に分け、段階ｊに対してｙｉ＝ｆｉ（ｘ）の関係が成り立つとすると、この場合のフェージング補正済み重み係数テーブル９の設定値も、図２１に示すように表される。
【０１５５】
以上のように、ＳＩＲ推定値とＳＩＲ測定値のずれを補正するようにフィンガ合成を行う際に用いる重み係数テーブル値を補正することで、送信電力制御の精度を高めることができる。
【０１５６】
なお、第７および第８実施例では、第１のＳＩＲ推定手段を例に説明したが、第２のＳＩＲ推定手段の場合についても同様に説明することができる。
【０１５７】
また、第６実施例から第８実施例においては、第１のＳＩＲ推定手段と第２のＳＩＲ推定手段の推定結果が一致するように、切換え補正済み重み係数テーブル値を補正したが、予めシミュレーション等で求めた実際のＳＩＲ値を基準として、第１のＳＩＲ推定手段および第２のＳＩＲ推定手段それぞれのテーブル値の補正を行えば、ビット誤り率（またはフレーム誤り率）からＳＩＲ推定誤差を調整するアウターループの処理を省くことが可能になり、演算量を削減するがことできる。
【０１５８】
しかし、フェージングが極めて激しい場合は、ＳＩＲ推定値による送信電力制御では伝搬路の変化に追いつけず受信特性が悪化する。
【０１５９】
そこで、フェージング周波数が基準値ｆＴｈより大きい場合、ＳＩＲ推定を行わずに、現時点の送信電力を一定範囲内に維持するように指示するＴＰＣビットパターンを生成して送信電力の制御を行うようにする。
【０１６０】
送信電力の維持を指示するＴＰＣビットパターンが存在する場合は、そのパターンを生成し、そうでない場合は、送信電力を上げることを意味するＴＰＣビットパターンと下げることを意味するＴＰＣビットパターンを交互に生成し、送信電力が一定範囲内に収まるように制御する。
【０１６１】
以上、本明細書で開示した主な発明について以下にまとめる。
【０１６２】
（付記１）希望波電力と干渉波電力の比であるＳ／Ｉ比を推定するＳＩＲ推定方法において、
現スロット以前のスロット内のパイロット信号から算出した伝搬路推定値の絶対値の二乗を入力してレイク合成した信号を希望波電力として出力するステップと、
現スロット及び該現スロット前後のスロット内のパイロット信号から算出した伝搬路推定値を用いてパイロット信号を同期検波してレイク合成した信号の分散値を干渉波電力として出力するステップと、
前記希望波電力と前記干渉波電力との比を算出してＳＩＲ推定値として出力するステップと、
を有することを特徴とするＳＩＲ推定方法。（請求項１）
（付記２）希望波電力と干渉波電力の比であるＳ／Ｉ比を推定するＳＩＲ推定方法において、
現スロット以前のスロット内のパイロット信号から算出した伝搬路推定値の絶対値の二乗を入力してレイク合成した信号を希望波電力として出力するステップを有することを特徴とするＳＩＲ推定方法。（請求項２）
（付記３）希望波電力と干渉波電力の比であるＳ／Ｉ比を推定するＳＩＲ推定手段を有するＣＤＭＡ受信装置において、
現スロット以前のスロット内のパイロット信号から算出した第１の伝搬路推定値の絶対値の二乗を入力してレイク合成した信号である希望波電力と、現スロット及び該現スロット前後のスロット内のパイロット信号から算出した伝搬路推定値を用いてパイロット信号を同期検波してレイク合成した信号の分散値である干渉波電力との比を算出し、該算出値を第１のＳＩＲ推定値として出力する第１のＳＩＲ推定手段と、
第１の伝搬路推定値を用いてパイロット信号を同期検波してレイク合成し、該合成信号の絶対値の二乗値である希望波電力と、前記合成信号の分散値である干渉波電力との比を算出し、該算出値を第２のＳＩＲ推定値として出力する第２のＳＩＲ推定手段と、
処理チャネル数、目標ＳＩＲ値、フェージング周波数推定値のいずれか１つに基づいて第１のＳＩＲ推定手段と第２のＳＩＲ推定手段とを切り換える切換え手段と、
を有することを特徴とするＣＤＭＡ受信装置。（請求項３）
（付記４）請求項３の装置であって、
ＳＩＲ推定値と、目標ＳＩＲ値との比較により送信電力制御ビットを生成する送信電力制御ビット生成手段を有し、
前記送信電力制御ビット生成手段は、フェージング周波数推定値が閾値より大きい場合に送信電力が所定範囲内に収まるように前記送信電力制御ビットを生成する構成を有することを特徴とするＣＤＭＡ受信装置。（請求項４）
（付記５）請求項３の装置であって、
第１のＳＩＲ推定値に基づいて第２のＳＩＲ推定値を補正する補正手段、または、第２のＳＩＲ推定値に基づいて第１のＳＩＲ推定値を補正する補正手段のいずれか一方を有することを特徴とするＣＤＭＡ受信装置。（請求項５）
（付記６）付記３の装置であって、
パスモデル、フェージング周波数のいずれか一方に基づいて第１のＳＩＲ推定値もしくは第２のＳＩＲ推定値を補正する補正手段を有することを特徴とするＣＤＭＡ受信装置。
【０１６３】
（付記７）希望波電力と干渉波電力の比であるＳ／Ｉ比を推定するＳＩＲ推定方法において、
現スロットより以前のスロット内のパイロット信号から算出した第１の伝搬路推定値の絶対値の二乗を入力してレイク合成した信号である希望波電力と、現スロット及び該現スロット前後のスロット内のパイロット信号から算出した伝搬路推定値を用いてパイロット信号を同期検波してレイク合成した信号の分散値である干渉波電力との比を算出し、該算出値を第１のＳＩＲ推定値として出力する第１のＳＩＲ推定ステップと、
第１の伝搬路推定値を用いてパイロット信号を同期検波してレイク合成し、該合成信号の絶対値の二乗値である希望波電力と、前記合成信号の分散値である干渉波電力との比を算出し、該算出値を第２のＳＩＲ推定値として出力する第２のＳＩＲ推定ステップと、
第１のＳＩＲ推定ステップと第２のＳＩＲ推定ステップとを切り換える切換えステップと、
を有することを特徴とするＳＩＲ推定方法。
【０１６４】
（付記８）前記切換えステップは、
処理チャネル数、目標ＳＩＲ値、フェージング周波数推定値のいずれか１つに基づいて第１のＳＩＲ推定ステップと第２のＳＩＲ推定ステップを切り換えることを特徴とする付記７に記載のＳＩＲ推定方法。
【０１６５】
（付記９）ＳＩＲ推定値と目標ＳＩＲ値との比較により送信電力制御ビットを生成する送信電力制御ビット生成ステップを有し、
前記送信電力制御ビット生成ステップは、フェージング周波数推定値が閾値より大きい場合に送信電力が所定範囲内に収まるように前記送信電力制御ビットを生成する機能を有することを特徴とする付記７に記載のＳＩＲ推定方法。
【０１６６】
【発明の効果】
本発明によれば、処理量の小さい第１のＳＩＲ推定手段を用いることで、ＤＳＰ等を用いたソフトウェア処理で実現する場合には演算量を削減することができ、またハードウェアで実現する場合には回路規模を削減することができる。
【０１６７】
また、伝搬路特性に応じて、ＳＩＲ推定手段において第１のＳＩＲ推定手段と第２のＳＩＲ推定手段を切り換えることにより、システムの最適化を図ることができる。
【０１６８】
また、計算方式や伝搬路特性により生じるＳＩＲ推定値とＳＩＲ測定値について重み係数を予め補正することにより、送信電力制御の精度を高めることができる。
【図面の簡単な説明】
【図１】本発明の第１実施例を示す図である。
【図２】本発明の信号電力計算部、Ｍスロット平均部、受信ＳＩＲ推定値算出部の構成例を示す図である。
【図３】逆拡散後のパイロットシンボル及び伝搬路推定値の位置ベクトル（１）を示す図である。
【図４】逆拡散後のパイロットシンボル及び伝搬路推定値の位置ベクトル（２）を示す図である。
【図５】逆拡散後のパイロットシンボル及び伝搬路推定値の位置ベクトル（３）を示す図である。
【図６】本発明の第２実施例を示す図である。
【図７】第２実施例のＳＩＲ推定手段１０１の説明図である。
【図８】本発明の第３実施例を示す図である。
【図９】第３実施例の処理フローを示す図である。
【図１０】本発明の第４実施例を示す図である。
【図１１】第４実施例の処理フローを示す図である。
【図１２】本発明の第５実施例を示す図である。
【図１３】第５実施例の処理フローを示す図である。
【図１４】本発明の第６実施例を示す図である。
【図１５】本発明の切換え補正済み重み係数テーブルの一例（１）を示す図である。
【図１６】本発明の切換え補正済み重み係数テーブルの一例（２）を示す図である。
【図１７】本発明の第７実施例を示す図である。
【図１８】本発明のパスモデル補正済み重み係数テーブルの一例（１）を示す図である。
【図１９】パスモデル（１）を示す図である。
【図２０】パスモデル（２）を示す図である。
【図２１】本発明のパスモデル補正済み重み係数テーブルの一例（２）を示す図である。
【図２２】本発明の第８実施例を示す図である。
【図２３】ＣＤＭＡ通信方式の受信装置の構成例を示す図である。
【図２４】従来技術のＳＩＲ演算の実施例を示す図である。
【図２５】従来技術のＳＩＲ測定部とＳＩＲ推定部の実施例を示す図である。
【図２６】伝搬路推定部および同期検波部の構成例を示す図である。
【符号の説明】
１  ＳＩＲ推定方式制御部
２、２０４、２１３  信号電力計算部
２ａ  ２乗算出部
２ｂ  重み係数テーブル
２ｃ  乗算器
２ｄ  フィンガ合成部
３、２０５  Ｍスロット平均部
４、２０８  受信ＳＩＲ推定値算出部
５、２０７  Ｎスロット移動平均部
６  処理チャネル数管理部
７  切換え補正済み重み係数テーブル
８  パスモデル補正済み重み係数テーブル
９  フェージング補正済み重み係数テーブル
１０１  ＳＩＲ推定手段
１０２  第１のＳＩＲ推定手段
１０３  第２のＳＩＲ推定手段
１０４  ＳＩＲ測定手段
２０２  伝搬路（チャネル）高速推定部
２０３  仮判定同期検波部
２０６、２１１  干渉電力計算部
２０９  伝搬路（チャネル）推定部
２１０  本判定同期検波部
２１０ａ  同期検波部
２１２、２１４  Ｌスロット平均部
２１５  受信ＳＩＲ測定値算出部
３１４  伝搬路（チャネル）推定部
３１５  パイロット部同期検波部
３１８  フェージング周波数推定部
３１９  ＳＩＲ推定部
３２０  ＳＩＲ測定部
【図１】
2005012386.tif 000003
【図２】
2005012386.tif 000004
【図３】
2005012386.tif 000005
【図４】
2005012386.tif 000006
【図５】
2005012386.tif 000007
【図６】
2005012386.tif 000008
【図７】
2005012386.tif 000009
【図８】
2005012386.tif 000010
【図９】
2005012386.tif 000011
【図１０】
2005012386.tif 000012
【図１１】
2005012386.tif 000013
【図１２】
2005012386.tif 000014
【図１３】
2005012386.tif 000015
【図１４】
2005012386.tif 000016
【図１５】
2005012386.tif 000017
【図１６】
2005012386.tif 000018
【図１７】
2005012386.tif 000019
【図１８】
2005012386.tif 000020
【図１９】
2005012386.tif 000021
【図２０】
2005012386.tif 000022
【図２１】
2005012386.tif 000023
【図２２】
2005012386.tif 000024
【図２３】
2005012386.tif 000025
【図２４】
2005012386.tif 000026
【図２５】
2005012386.tif 000027
【図２６】
2005012386.tif 000028